(57)【特許請求の範囲】
【請求項１】
ロープ状本体の先端部にストッパを有するロープ状部材で荷物を吊り上げるための吊上げ補助具であって、
管材と係合部とを有し、
前記管材は前記ロープ状本体を貫通させる貫通孔を有し、前記貫通孔は前記ロープ状本体をスライドさせて前記ロープ状本体の任意の位置で停止可能に湾曲し、
前記係合部は前記ストッパと着脱可能に係合し、前記ストッパと係合したとき前記ロープ状本体を前記貫通孔の内部の前記ロープ状本体と交差させて前記ストッパの後方への移動を停止させるよう前記管材に設けられており、
前記ストッパは前記ロープ状本体より大きい径を有し、前記係合部は筒状であって連通する大径孔と小径孔とを内部に有し、前記大径孔は前記ストッパの後部を挿入可能な挿入口を有し、前記小径孔は前記ロープ状本体を挿入可能で前記ストッパの径より小さい径を有し、前記係合部は前記ロープ状本体を側面から前記大径孔および前記小径孔に挿入可能で前記ストッパの径より小さい幅の挿入溝を側部に有することを、
特徴とする吊上げ補助具。
【請求項２】
前記貫通孔は上部口および下部口を有し、前記挿入口は前記下部口の開口前方側に位置付けられていることを、
特徴とする請求項１記載の吊上げ補助具。
【請求項３】
ガイド筒部を有し、前記ガイド筒部は前記ロープ状本体を挿入可能なガイド孔を内部に有して前記管材に設けられ、前記ガイド筒部は前記ロープ状本体を側面から前記ガイド孔に挿入可能なガイド溝孔を側部に有し、前記ガイド孔は前記小径孔の開口前方側に伸びていることを、
特徴とする請求項１または２記載の吊上げ補助具。
【請求項４】
前記管材は前記ロープ状本体を側面から前記貫通孔に挿入可能で前記ストッパの径より小さい幅の管材溝孔を側部に有し、前記管材溝孔を跨いで前記貫通孔の内部に前記ロープ状本体を保持するよう前記管材に取り付けられる保持部材を有することを、
特徴とする請求項１乃至３のいずれか１項に記載の吊上げ補助具。
【発明の詳細な説明】
【技術分野】
【０００１】
本発明は、採木その他の荷物をロープ状部材で吊り下げて移動させるために使用可能な吊上げ補助具に関する。
【背景技術】
【０００２】
従来、図５（Ａ）に示すように、ローラ１とフック２とを備え、ローラ１で案内されたワイヤーロープ３を荷物４に巻き掛け、ワイヤーロープ３の端部をフック２に係合させて荷物４を絞り吊りするためのチョーカーフックが知られている。
また、図５（Ｂ）に示すように、端部にＣ形金具（Ｃカン）５が取り付けられたワイヤーロープ３を荷物４に巻き掛け、Ｃ形金具５をワイヤーロープ３に掛けて荷物４を絞り吊りするものが知られている。
また、ワイヤーロープを蛇状に折れ曲がった貫通孔に通して装着し、締着治具でワイヤーロープを締着するものが開示されている（例えば、特許文献１参照）。
【先行技術文献】
【特許文献】
【０００３】
【特許文献１】実公昭６０−２６０５７号公報
【発明の概要】
【発明が解決しようとする課題】
【０００４】
しかしながら、図５（Ａ）に示すチョーカーフック、図５（Ｂ）に示すＣ形金具および特許文献１に記載のワイヤーロープ弛み止め治具では、ワイヤーロープとローラ、Ｃ形金具または締着治具との接点でワイヤーロープに荷重がかかるため、ワイヤーロープがその接点で折れ曲がり、傷みやすいという課題があった。また、チョーカーフック、Ｃ形金具または締着治具の付近の上部に隙間ができやすいため、荷振れしたとき、ワイヤーロープで締め付けられていない荷物が抜け落ちるおそれがあるという課題があった。また、図６に示すように、玉掛け作業の際、玉掛ワイヤーロープ６は鋼材などの荷物７の中心側に寄りやすいため、中心に寄って荷物が不安定にならないようワイヤーロープ６を押さえておく必要があり、作業効率が悪いという課題があった。
【０００５】
本発明は、このような課題に着目してなされたもので、ロープ状部材を傷めにくく、また、荷物が抜け落ちたり寄ったりしにくく、作業効率が良好な吊上げ補助具を提供することを目的とする。
【課題を解決するための手段】
【０００６】
上記目的を達成するために、本発明に係る吊上げ補助具は、ロープ状本体の先端部にストッパを有するロープ状部材で荷物を吊り上げるための吊上げ補助具であって、管材と係合部とを有し、前記管材は前記ロープ状本体を貫通させる貫通孔を有し、前記貫通孔は前記ロープ状本体をスライドさせて前記ロープ状本体の任意の位置で停止可能に湾曲し、前記係合部は前記ストッパと着脱可能に係合し、前記ストッパと係合したとき前記ロープ状本体を前記貫通孔の内部の前記ロープ状本体と交差させて前記ストッパの後方への移動を停止させるよう前記管材に設けられており、前記ストッパは前記ロープ状本体より大きい径を有し、前記係合部は筒状であって連通する大径孔と小径孔とを内部に有し、前記大径孔は前記ストッパの後部を挿入可能な挿入口を有し、前記小径孔は前記ロープ状本体を挿入可能で前記ストッパの径より小さい径を有し、前記係合部は前記ロープ状本体を側面から前記大径孔および前記小径孔に挿入可能で前記ストッパの径より小さい幅の挿入溝を側部に有することを、特徴とする。
【０００７】
本発明に係る吊上げ補助具は、予め、管材の貫通孔にロープ状本体を貫通させておく。荷物を吊り上げる際、ストッパと管材との間のロープ状本体を荷物に巻き掛け、締め付ける。次に、ストッパを係合部と係合させる。ストッパと管材を挟んで反対側のロープ状本体を吊って、荷物を吊り上げる。
【０００８】
本発明に係る吊上げ補助具において、貫通孔は湾曲しているため、ロープ状本体の１点に集中した荷重がかかりにくく、ロープ状本体を傷めにくい。ストッパが係合部と係合したとき、ロープ状本体は貫通孔の内部のロープ状本体と交差するため、荷物を締め付けたロープ状部材の上部の隙間を小さくすることができ、荷物をしっかりと締め付けることができる。このため、荷振れしたとき、荷物が抜け落ちにくく、玉掛け作業の際にもロープ状部材が荷物の中心側に寄りにくいので、安全かつ作業効率が良好である。
貫通孔の湾曲の形状の例としては、円弧状、放物線状、Ｓ字状、らせん状などが挙げられるが、その他の形状であってもよい。また、管材は、貫通孔を有していれば、パイプ状に限らず、ブロック状、その他の形状であってもよい。
【０００９】
本発明に係る吊上げ補助具において、前記ストッパは前記ロープ状本体より大きい径を有し、前記係合部は筒状であって連通する大径孔と小径孔とを内部に有し、前記大径孔は前記ストッパの後部を挿入可能な挿入口を有し、前記小径孔は前記ロープ状本体を挿入可能で前記ストッパの径より小さい径を有し、前記係合部は前記ロープ状本体を側面から前記大径孔および前記小径孔に挿入可能で前記ストッパの径より小さい幅の挿入溝を側部に有する。
このため、ストッパを係合部と係合させるとき、ロープ状本体を側面から挿入溝に挿入させて大径孔および小径孔に位置付ける。次に、ストッパの後部を挿入口に挿入させることにより、ストッパと係合部とを容易に係合させることができる。
【００１０】
本発明に係る吊上げ補助具において、前記貫通孔は上部口および下部口を有し、前記挿入口は前記下部口の開口前方側に位置付けられていることが好ましい。
この場合、ストッパが係合部と係合したとき、ロープ状本体は貫通孔の内部のロープ状本体と交差し、荷物を締め付けたロープ状本体の上部の隙間を特に小さくすることができる。
【００１１】
本発明に係る吊上げ補助具は、ガイド筒部を有し、前記ガイド筒部は前記ロープ状本体を挿入可能なガイド孔を内部に有して前記管材に設けられ、前記ガイド筒部は前記ロープ状本体を側面から前記ガイド孔に挿入可能なガイド溝孔を側部に有し、前記ガイド孔は前記小径孔の開口前方側に伸びていることが好ましい。
この場合、ロープ状本体を側面からガイド溝孔に挿入させてガイド孔に位置付けることにより、係合部との接点でロープ状本体の１点に集中した荷重がかかるのを防止し、ロープ状本体を傷みにくくすることができる。
【００１２】
本発明に係る吊上げ補助具において、前記管材は前記ロープ状本体を側面から前記貫通孔に挿入可能で前記ストッパの径より小さい幅の管材溝孔を側部に有し、前記管材溝孔を跨いで前記貫通孔の内部に前記ロープ状本体を保持するよう前記管材に取り付けられる保持部材を有することが好ましい。
この場合、ロープ状本体を側面から管材溝孔に挿入させて貫通孔に位置付ける。管材溝孔を跨ぐよう保持部材を管材に取り付ければ、貫通孔の内部にロープ状本体を保持することができる。このため、本発明に係る吊上げ補助具を既存のロープ状部材に容易に取り付けることができる。
【００１３】
本発明において、ロープ状部材としては、ワイヤーロープのほか、繊維ロープ、チェーン、ベルト、紐、帯などが挙げられるが、特にワイヤーロープが好ましい。管材、係合部およびガイド筒部は、剛性の金属またはセラミックから成ることが好ましいが、他の材質から成っていてよい。
【発明の効果】
【００１４】
本発明によれば、ロープ状部材を傷めにくく、また、荷物が抜け落ちたり寄ったりしにくく、作業効率が良好な吊上げ補助具を提供することができる。
【図面の簡単な説明】
【００１５】
【図１】本発明の実施の形態の吊上げ補助具のロープ状部材に取り付けた状態を示す正面図である。
【図２】図１に示す吊上げ補助具の（Ａ）ロープ状部材に取り付けた状態の正面図、（Ｂ）右側面図、（Ｃ）正面図、（Ｄ）ロープ状部材の先端部の分解断面図、（Ｅ）ロープ状部材の先端部の側面図である。
【図３】図１に示す吊上げ補助具の縦断面図である。
【図４】本発明の変形例の吊上げ補助具を示す（Ａ）正面図、（Ｂ）右側面図、（Ｃ）背面図である。
【図５】（Ａ）チョーカーフック、（Ｂ）スナップリング、（Ｃ）本発明の実施の形態の吊上げ補助具をそれぞれ用いてワイヤーロープで荷物を締め付ける状態を示す説明図である。
【図６】チョーカーフックを用いた玉掛けワイヤーロープで荷物を吊り上げる状態を示す説明図である。
【発明を実施するための形態】
【００１６】
以下、図面に基づき、本発明の実施の形態について説明する。
図１〜図３は、本発明の実施の形態の吊上げ補助具１０を示している。
吊上げ補助具１０は、ロープ状部材２０で荷物を吊り上げるための器具である。図１に示すように、ロープ状部材２０は、ロープ状本体２１の先端部にストッパ２２を有している。
【００１７】
図２（Ｄ）に示すように、ストッパ２２は、ストッパ本体２２ａとスリーブ２２ｂとコッター２２ｃとロックネジ２２ｄとを有している。ストッパ２２は、ロープ状本体２１より大きい径を有する。ストッパ本体２２ａは、筒状であって内部にロープ状本体２１を貫通可能となっている。ストッパ本体２２ａは、先端側内周にめねじ部２２ｅを有し、中間部に収容部を有している。スリーブ２２ｂは、鉛や合成樹脂などから成る密着材であり、筒状をなしている。コッター２２ｃは、鉛や合成樹脂などから成る密着材であり、くさび形を有している。ロックネジ２２ｄは、めねじ部２２ｅと螺合するおねじ部２２ｆを有している。
【００１８】
ストッパ２２は、以下の方法でロープ状本体２１の先端部に取り付けられる。まず、ロープ状本体２１をストッパ本体２２ａおよびスリーブ２２ｂに貫通させ、ロープ状本体２１の先端をほぐす。ほぐしたロープ状本体２１およびコッター２２ｃを介してスリーブ２２ｂにロックネジ２２ｄを固定する。スリーブ２２ｂをストッパ本体２２ａの内部に挿入し、ロックネジ２２ｄのおねじ部２２ｆをストッパ本体２２ａのめねじ部２２ｅと螺合させ、スリーブ２２ｂを収容部に位置付ける。こうして、ロープ状本体２１の先端部にストッパ２２を固定することができるが、図２（Ｅ）に示すように、ストッパ２２がロープ状本体２１の先端部に取り付けられた市販品を用いてもよい。
【００１９】
図２に示すように、吊上げ補助具１０は、管材１１と係合部１２とガイド筒部１３とを有している。
管材１１は、中心角が９０度以下、例えば７０度の円弧状に緩やかに湾曲している。管材１１は、長さ方向に沿ってロープ状本体２１を貫通させる貫通孔１１ａを有している。貫通孔１１ａは、ロープ状本体２１の径よりやや大きい径を有し、ロープ状本体２１をスライドさせてロープ状本体２１の任意の位置で停止可能に湾曲している。貫通孔１１ａの径および湾曲度は、ロープ状本体２１の性質に応じて適宜、設定しておく。貫通孔１１ａは、一端に上部口１１ｂを有し、他端に下部口１１ｃを有している。上部口１１ｂおよび下部口１１ｃは、外側にラッパ状に広がっている。管材１１は、ストッパ２２をロープ状本体２１の先端部に取り付ける際に、ロープ状本体２１を貫通孔１１ａに挿入し、ロープ状本体２１に取り付けておく。ストッパ２２と管材１１を挟んで反対側のロープ状本体２１には、クレーンなどで吊下げるための輪２３が形成されている。
【００２０】
図３に示すように、係合部１２は、筒状であって連通する大径孔１２ａと小径孔１２ｂと底部１２ｃとを内部に有している。大径孔１２ａは、ストッパ２２の後部２２ｇを挿入可能な挿入口１２ｄを有している。挿入口１２ｄは、下部口１１ｃの開口前方側に位置付けられ、下部口１１ｃと同じ側を向いている。小径孔１２ｂは、ロープ状本体２１を挿入可能でストッパ２２の径より小さい径を有している。底部１２ｃは、幅のあるリング状であって、大径孔１２ａの内壁と小径孔１２ｂの内壁とに連続している。大径孔１２ａと小径孔１２ｂと底部１２ｃとは、同一の中心線を有している。係合部１２は、挿入溝１２ｅを側部に有している。挿入溝１２ｅは、ロープ状本体２１を側面から大径孔１２ａ、小径孔１２ｂおよび底部１２ｃに挿入可能で、ストッパ２２の径より小さい幅を有している。挿入溝１２ｅは、係合部１２の両端まで伸びている。
【００２１】
係合部１２は、大径孔１２ａに挿入口１２ｄから挿入されたストッパ２２と着脱可能に係合する。係合部１２は、管材１１の側部に管材１１と交差するよう一体的に取り付けられている。係合部１２は、ストッパ２２と係合したときロープ状本体２１を貫通孔１１ａの内部のロープ状本体２１と交差させるように配置されている。ストッパ２２は、後部２２ｇが大径孔１２ａの挿入口１２ｄに挿入されたとき、後部２２ｇが底部１２ｃに当たって、後方への移動を停止されるようになっている。
【００２２】
ガイド筒部１３は、管材１１および係合部１２に一体的に取り付けられている。ガイド筒部１３は、ロープ状本体２１を挿入可能なガイド孔１３ａを内部に有している。ガイド筒部１３は、ロープ状本体２１を側面からガイド孔１３ａに挿入可能なガイド溝孔１３ｂを側部に有している。ガイド溝孔１３ｂは、ガイド筒部１３の両端まで伸びている。ガイド孔１３ａは、小径孔１２ｂの開口前方側に伸びている。ガイド孔１３ａは、小径孔１２ｂと同一の中心線を有している。貫通孔１１ａの縦方向に伸びる中心線が通る平面と、大径孔１２ａ、小径孔１２ｂ、底部１２ｃおよびガイド孔１３ａの中心線とは、平行をなしている。
【００２３】
吊上げ補助具の作用について説明する。
吊上げ補助具１０は、予め、管材１１の貫通孔１１ａにロープ状本体２１を貫通させてある。図５（Ｃ）に示すように、荷物４を吊り上げる際、ストッパ２２と管材１１との間のロープ状本体２１を荷物４に巻き掛け、締め付ける。荷物４は、木材、鋼材、建材、その他いかなる物であってもよい。次に、ストッパ２２の後部２２ｇ側のロープ状本体２１を側面から挿入溝１２ｅに挿入させて大径孔１２ａおよび小径孔１２ｂに位置付ける。また、ロープ状本体２１を側面からガイド溝孔１３ｂに挿入させてガイド孔１３ａに位置付ける。次に、ストッパ２２の後部２２ｇを挿入口１２ｄに挿入させる。こうして、図１に示すように、ストッパ２２と係合部１２とを容易かつ確実に係合させることができる。このとき、ロープ状本体２１をガイド孔１３ａに位置付けることにより、係合部１２との接点でロープ状本体２１の１点に集中した荷重がかかるのを防止し、ロープ状本体２１を傷みにくくすることができる。
【００２４】
図５（Ｃ）に示す状態で、ロープ状本体２１の輪２３をクレーンで吊って、荷物４を吊り上げる。貫通孔１１ａは円弧状に湾曲しているため、ロープ状本体２１の１点に集中した荷重がかかりにくく、ロープ状本体２１を傷めにくい。また、ロープ状本体２１は、緩やかな円形に湾曲するので、破損しにくい。
【００２５】
ストッパ２２が係合部１２と係合したとき、ロープ状本体２１は貫通孔１１ａの内部のロープ状本体２１と交差するため、荷物４を締め付けたロープ状部材２０の上部の隙間を小さくすることができ、荷物４をしっかりと締め付けることができる。このため、荷振れしたとき、荷物４が抜け落ちにくく、玉掛け作業の際にもロープ状部材２０が荷物４の中心側に寄りにくいので、安全かつ作業効率が良好である。また、ワイヤーロープの弛みが少ないため、ワイヤーロープをずれないよう押さえておく必要が少ない。作業者は玉掛け作業の合図をしやすいため、作業の危険度を大幅に軽減することができる。
【００２６】
次に、図４に基づき、本発明の実施の形態の吊上げ補助具の変形例について説明する。
なお、図４において、図１および図２に示す部分と同一の部分には同一の符号を付し、重複した説明を省略する。
図４に示すように、管材１１は、管材溝孔３０を側部に有している。管材溝孔３０は、ロープ状本体２１を側面から貫通孔１１ａに挿入可能で、ストッパ２２の径より小さい幅を有している。管材溝孔３０は、管材１１の両端まで伸びている。吊上げ補助具１０ａは、複数の保持部材３１を有している。保持部材３１は、断面Ｃ字状のスナップリングから成り、管材溝孔３０を跨いで貫通孔１１ａの内部にロープ状本体２１を保持するよう管材１１に取り付けられる。
【００２７】
図４に示す吊上げ補助具１０ａを用いる場合、図２（Ｅ）に示すような市販のロープ状部材２０のロープ状本体２１を側面から管材溝孔３０に挿入させて貫通孔１１ａに位置付ける。管材溝孔３０を跨ぐよう保持部材３１を管材１１に取り付ければ、貫通孔１１ａの内部にロープ状本体２１を保持することができる。このため、予め、管材１１の貫通孔１１ａにロープ状本体２１を貫通させておく必要がなく、吊上げ補助具１０ａを既存のロープ状部材２０に容易に取り付けることができる。図４に示す吊上げ補助具１０ａは、図１および図２に示す吊上げ補助具１０と同様に使用することができる。
【００２８】
なお、吊上げ補助具１０または吊上げ補助具１０ａには、クレーンのフックと係合可能なリングが設けられていてもよい。
【符号の説明】
【００２９】
１  ローラ
２  フック
３  ワイヤーロープ
４  荷物
５  Ｃ形金具
６  玉掛ワイヤーロープ
７  荷物
１０，１０ａ  吊上げ補助具
１１  管材
１１ａ  貫通孔
１１ｂ  上部口
１１ｃ  下部口
１２  係合部
１２ａ  大径孔
１２ｂ  小径孔
１２ｃ  底部
１２ｄ  挿入口
１２ｅ  挿入溝
１３  ガイド筒部
１３ａ  ガイド孔
１３ｂ  ガイド溝孔
２０  ロープ状部材
２１  ロープ状本体
２２  ストッパ
２２ａ  ストッパ本体
２２ｂ  スリーブ
２２ｃ  コッター
２２ｄ  ロックネジ
２２ｅ  めねじ部
２２ｆ  おねじ部
２２ｇ  後部
３０  管材溝孔
３１  保持部材
【要約】
【課題】ロープ状部材を傷めにくく、また、荷物が抜け落ちたり寄ったりしにくく、作業効率が良好な吊上げ補助具を提供する。
【解決手段】ロープ状本体２１の先端部にストッパ２２を有するロープ状部材２０で荷物を吊り上げるために用いられる。管材１１と係合部１２とを有する。管材１１は、ロープ状本体２１を貫通させる貫通孔を有する。貫通孔は、ロープ状本体２１をスライドさせてロープ状本体２１の任意の位置で停止可能に湾曲している。係合部１２は、ストッパ２２と着脱可能に係合する。係合部１２は、ストッパ２２と係合したときロープ状本体２１を貫通孔の内部のロープ状本体２１と交差させる。係合部１２は、ストッパ２２の後方への移動を停止させるよう管材１１に設けられている。
【選択図】図１【図１】
0006647482.tif 000002
【図２】
0006647482.tif 000003
【図３】
0006647482.tif 000004
【図４】
0006647482.tif 000005
【図５】
0006647482.tif 000006
【図６】
0006647482.tif 000007